(57)【要約】【課題】解決しようとする問題点は、ゴキブリやクモやムカデ等の害虫を捕虫する際、害虫を潰さずに機動的に捕虫することができ、かつ捕虫した害虫を簡単に密閉でき、密閉状態で衛生的に廃棄できる容器である。加えて害虫を捕虫し、容器に密閉し廃棄するまでに、出来るだけ目視することなく、かつ離れた状態で作業できるようにする事ができる容器である。【解決手段】柄（１）を容器（２）に取り付ける。柄（１）を取り付けた容器（２）には粘着層を有するシート（２ａ）及び剥離シート（２ｂ）を有している。剥離シート（２ｂ）を剥がし、粘着層を有するシート（２ａ）に害虫（４）を着けることで捕虫することができる。その後、蓋（３）を床（５）に置き、害虫（４）を捕虫した容器（２）に、蓋（３）の貼付け面（３ａ）を、容器（２）の粘着層を有するシート（２ａ）に貼り付けることで、密閉する。【選択図】図１
2015084768.tif 000002
【特許請求の範囲】
【請求項１】
ゴキブリやクモやムカデ等の害虫を捕虫するための容器であって、容器の開口側に粘着層を有するシートの粘着層を外側に向け固定した容器であって、容器は脱着可能な柄を備え、容器の蓋は前記粘着層に貼り付けることで密閉できることを特徴とした、害虫捕虫容器である。
【請求項２】
前記容器は、容器の開口側の外枠が粘着層よりも２ｍｍから１５ｍｍ出ている形状を有しており、粘着層と容器の閉塞側の間に空間を有していることを特徴とした、請求項１記載の害虫捕虫容器である。
【請求項３】
前記容器は、容器の閉塞側に凸部を有するとともに、前記柄は筒状であり、筒状の柄を容器の凸部に嵌めることで、容器に取り付けることができることを特徴とした、請求項１又は請求項２記載の害虫捕虫容器である。
【請求項４】
前記容器の粘着層は、剥離シートで保護されていることを特徴とした、請求項１〜３いずれか記載の害虫捕虫容器である。
【請求項５】
前記容器は、材質としてポリエチレンまたはポリプロピレンまたは紙製であることを特徴とした、請求項１〜４いずれか記載の害虫捕虫容器である。
【発明の詳細な説明】
【技術分野】
【０００１】  本発明は、ゴキブリやクモやムカデ等の害虫を捕虫し、かつ衛生的に廃棄することができる容器に関する。
【背景技術】
【０００２】  従来、ゴキブリやクモやムカデ等の害虫を駆除する方法として、日常的には、ハエたたき等を用いて、害虫を直接打撃で駆除する方法や、殺虫剤で駆除する方法が一般的であった。しかしながら直接打撃では害虫が潰れる事があり、衛生的ではなかった。また殺虫剤に関しては、人体への影響も少なからず懸念される。加えて、直接打撃や、殺虫剤で駆除したゴキブリの後始末に関しても「不快感や不潔感」は強く感じると考えられる。【０００３】  上記課題を解決するために捕虫器具が数多く提案されてきており、一般的に固定型粘着式捕虫器具が知られているが、害虫が寄ってくるのを待って捕虫するタイプであり、こちらから機動的に捕虫することは出来なかった。また特許文献１に示すとおり、掃除機の吸引力を利用した捕虫器具が提案されているが、捕虫するための準備に時間がかかるため実用的では無かった。さらに、特許文献２で示すような、粘着テープを捕虫器具に固定し、害虫を粘着テープに貼り付けた後、粘着テープを二つ折りにして廃棄するための器具が提案されている。しかしながら、粘着テープの固定に時間が掛かり、準備の間に害虫に逃げられる事が懸念される。また固定具はそれなりの強度が求められることから、捕虫の際に、床や壁、家具を傷つけてしまう事が懸念される。【０００４】  また害虫の死骸や衰弱した害虫を廃棄する行為は、「不快感や不潔感」を感じる。その後始末をより簡単に衛生的に処理するための器具に関しては、特許文献３に示す様に、害虫の死骸の後始末に特化した廃棄具も提案されているが、捕獲した害虫は剥き出しであるため、不衛生である。
【先行技術文献】
【特許文献】
【０００５】
【特許文献１】特開２００６−１５８３３７公報
【特許文献２】特開２００９−２２５７４７公報
【特許文献３】特開平１１−１５５４５９公報
【発明の概要】
【発明が解決しようとする課題】
【０００６】  解決しようとする問題点は、ゴキブリやクモやムカデ等の害虫を捕虫する際、害虫を潰さずに機動的に捕虫することができ、かつ捕虫した害虫を簡単に密閉でき、密閉状態で衛生的に廃棄できる捕虫容器である。加えて害虫を捕虫し、容器を密閉し廃棄するまでに、出来るだけ目視することなく、かつ離れた状態で作業できる捕虫容器である。
【課題を解決するための手段】
【０００７】  本発明は、ゴキブリやクモやムカデ等の害虫を、粘着層を有する容器を用いて機動的かつ衛生的に害虫を捕虫して、廃棄できる容器である。具体的には容器の開口側に粘着層を有するシートを張り、粘着層を外側に向け固定し、その粘着層は剥離シートで保護していることを特徴とし、粘着層に害虫を被着させることで捕虫する。したがって容器を使用する際は、剥離シートを剥がすだけで捕虫することができるため、準備に時間が掛からず実用的である。【０００８】  容器の開口側の外枠は粘着層よりも２ｍｍ〜１５ｍｍ出ている形状を有することで、粘着層にて害虫を捕虫した際に、壁や床に粘着成分が付きにくく、かつ害虫を潰さずに捕虫できることを特徴とする。また粘着層と容器の閉塞側の間に空間を設けることで、捕虫するときの押さえつける力を、粘着層と容器の閉塞側の間の空間が吸収するため、害虫を潰さずに捕虫できることを特徴とする。【０００９】  容器の材質は、ポリエチレンまたはポリプロピレンまたは紙製であることを特徴とする。理由としては汎用性があり比較的安価であること、加えて床や壁を傷つけにくい様に、ある程度の柔軟性があることが上げられる。また柔軟な素材を用いることで、部屋の端や障害物がある所でも、その場面に応じて容器が変形し、効率的に捕虫できることを特徴とする。【００１０】  柄を容器に取り付けることで、手元から離れた位置で捕虫が出来ることを特徴とする。また柄は簡単に脱着出来るように、容器の閉塞側に凸部を設け、柄を凸部に嵌めこむことで取り付けが完了することを特徴とする。したがって容器を廃棄する際は、柄は容器から引き抜くだけで取り外しができることを特徴とする。【００１１】  蓋を容器の粘着層に貼り付けることで密閉できることを特徴とする。具体的には、蓋を床に置いた状態で、害虫を被着させた容器の柄を持って蓋の位置に下ろし、粘着層に蓋を被着させることで、密閉作業が完了する。したがって害虫の捕虫から蓋の密閉まで、柄をもって作業できるため、害虫から離れた状態を保ったまま、簡単に容器を密閉できることで、「不快感や不潔感」を弱める効果がある。
【発明の効果】
【００１２】  本発明の捕虫容器は、ゴキブリやクモやムカデ等の害虫を捕虫する際、害虫を潰さずに機動的に捕虫することができ、かつ捕虫した害虫を簡単に密閉でき、そのままの状態で衛生的に廃棄できるという利点がある。加えて害虫を捕虫し、容器に密閉し廃棄するまでに、出来るだけ目視することなく、かつ離れた状態で作業できるようにする事ができるという利点がある。
【図面の簡単な説明】
【００１３】
【図１】図１はそれぞれ独立した状態の柄（１）、容器（２）及び蓋（３）を示した断面図である。
【図２】図２は柄（１）と蓋（３）を容器（２）に取り付けた状態の断面図である。
【図３】図３は柄（１）と容器（２）を取り付けた状態で、害虫（４）を捕虫する直前の説明図である。矢印（６）は容器の動きを表す。
【図４】図４は柄（１）と容器（２）を取り付けた状態で、害虫（４）を捕虫した状態の説明図である。
【図５】図５は害虫（４）を捕虫した容器（２）に蓋（３）を取り付ける直前の説明図である。矢印（６）は容器の動きを表す。
【図６】図６は害虫（４）を捕虫した容器（２）に蓋（３）を取り付けた状態の説明図である。
【発明を実施するための形態】
【００１４】  図１に示した容器（２）には粘着層を有するシート（２ａ）及び剥離シート（２ｂ）を有している。図４に示すように、剥離シート（２ｂ）を剥がした粘着層を有するシート（２ａ）に害虫（４）を着けることで捕虫することができる。容器（２）の外枠（２ｃ）が粘着層を有するシート（２ａ）よりも２ｍｍから１５ｍｍ出ている形状を有することで、害虫（４）を捕虫する際に、壁や床に粘着成分が付きにくく、かつ害虫（４）を潰さずに捕虫できることができる。
【００１５】  図１に示した柄（１）は筒状であり、柄（１）を容器（２）の凸部（２ｄ）に嵌めることで、簡単に取りつけることができる。また図１に示した蓋（３）の貼付け面（３ａ）を、容器（２）の粘着層を有するシート（２ａ）に貼り付けることで密閉する。図２は剥離シート（２ｂ）を剥がした状態の容器（２）に、柄（１）と蓋（３）を容器（２）に取り付けた状態である。
【００１６】  図３及び図４に示すように、柄（１）を容器（２）の凸部（２ｄ）に取り付けた状態で、容器（２）の粘着層（２ａ）で害虫（４）を被着することで捕虫する。この際、柄（１）を持って作業することで、害虫（４）から離れて作業できる。その後、図５及び図６に示すように、蓋（３）を床（５）に置き、害虫（４）を捕虫した容器（２）に、蓋（３）の貼付け面（３ａ）を、容器（２）の粘着層を有するシート（２ａ）に貼り付けることで、密閉する。
【００１７】  その後、蓋（３）で密閉した容器（２）は、柄（１）から取り外すことで、害虫（４）に接触する事無く、廃棄することができる。
【符号の説明】
【００１８】１：柄
２：容器
２ａ：粘着層を有するシート
２ｂ：剥離シート
２ｃ：外枠
２ｄ：凸部
３：蓋
３ａ：貼付け面
４：害虫
５：床
６：容器の動きを表す矢印
【図１】
2015084768.tif 000003
【図２】
2015084768.tif 000004
【図３】
2015084768.tif 000005
【図４】
2015084768.tif 000006
【図５】
2015084768.tif 000007
【図６】
2015084768.tif 000008